(57)【要約】  電磁誘導タッチセンサーが提供される。該電磁誘導タッチセンサーは、磁場を生成するための駆動層と、駆動層に面して設けられ、電磁誘導タッチセンサー上の少なくとも１つのタッチ場所に対応するインダクタンスの変化を表す少なくとも１つの誘発電気信号を生成するための誘導層と、駆動層と誘導層に接続され、少なくとも１つの誘発電気信号を検出して電磁誘導タッチセンサー上の少なくとも１つのタッチ場所を特定するための電磁誘導回路を備える。さらに、該電磁誘導タッチセンサー上の少なくとも１つのタッチ場所を検出する検出方法も提供される。
2013526740.tif 000002
【特許請求の範囲】
【請求項１】
電磁誘導タッチセンサーであって、
磁場を生成するための駆動層と、
前記駆動層に面して設けられており、前記電磁誘導タッチセンサー上の少なくとも１つのタッチ場所に対応するインダクタンスの変化を表す、少なくとも１つの誘発電気信号を生成するための誘導層と、
前記駆動層と前記誘導層に接続され、前記少なくとも１つの誘発電気信号を検出することにより、前記電磁誘導タッチセンサー上の前記少なくとも１つのタッチ場所を特定する少なくとも１つの電磁誘導回路とを備える、
電磁誘導タッチセンサー。
【請求項２】
前記誘導層は、前記少なくとも１つの電磁誘導回路に接続される複数の被誘導電極を備える、
請求項１に記載の電磁誘導タッチセンサー。
【請求項３】
前記誘導層は、被誘導基板をさらに備え、
前記被誘導電極は、前記被誘導基板の内表面に設けられている、
請求項２に記載の電磁誘導タッチセンサー。
【請求項４】
前記誘導層は、被誘導基板をさらに備え、
前記被誘導電極は、前記被誘導基板の外表面に設けられている、
請求項２に記載の電磁誘導タッチセンサー。
【請求項５】
前記駆動層は、前記少なくとも１つの電磁誘導回路に接続される少なくとも１つの駆動電極を有する、
請求項２に記載の電磁誘導タッチセンサー。
【請求項６】
前記駆動層は、駆動基板をさらに備え、
前記少なくとも１つの駆動電極は、前記駆動基板の内表面に設けられている、
請求項５に記載の電磁誘導タッチセンサー。
【請求項７】
前記駆動層は、駆動基板をさらに備え、
前記少なくとも１つの駆動電極は、前記駆動基板の外表面に設けられている、
請求項５に記載の電磁誘導タッチセンサー。
【請求項８】
前記電磁駆動回路は、
コントローラと、
前記少なくとも１つの駆動電極を前記コントローラに接続する少なくとも１つの駆動導電線と、
前記複数の被誘導電極を前記コントローラに接続する複数の被誘導導電線とを有する、
請求項５に記載の電磁誘導タッチセンサー。
【請求項９】
前記少なくとも１つの駆動導電線は、第１の方向に配線され、
前記被誘導導電線は、前記第１の方向と異なる第２の方向に配線される、
請求項８に記載の電磁誘導タッチセンサー。
【請求項１０】
前記少なくとも１つの駆動導電線は、１つの点から少なくとも１つの方向に沿って伸び、
前記複数の被誘導導電線は、中心が前記点である複数の同心円に分布している、
請求項８に記載の電磁誘導タッチセンサー。
【請求項１１】
前記少なくとも１つの駆動導電線は、さらに、前記点から異なる方向に沿って伸びる少なくとも２つの駆動導電線を含む、
請求項１０に記載の電磁誘導タッチセンサー。
【請求項１２】
前記同心円は、さらに、同心円弧を含む、
請求項１０に記載の電磁誘導タッチセンサー。
【請求項１３】
前記駆動層は、さらに、
前記少なくとも２つの駆動導電線の交点に設けられ、前記駆動導電線を互いに絶縁させる複数の絶縁片を備える、
請求項１１に記載の電磁誘導タッチセンサー。
【請求項１４】
前記少なくとも１つの駆動導電線は、さらに、
中心が１つの点である少なくとも２つの同心円に分布する少なくとも２つの駆動導電線を有し、
前記複数の被誘導導電線は、前記点から異なる方向に沿って伸びる、
請求項８に記載の電磁誘導タッチセンサー。
【請求項１５】
前記同心円は、さらに、同心円弧を含む、
請求項１４に記載の電磁誘導タッチセンサー。
【請求項１６】
前記誘導層は、さらに、
前記複数の被誘導導電線の交点に設けられた、前記被誘導導電線を互いに絶縁させる複数の絶縁片を備える、
請求項１４に記載の電磁誘導タッチセンサー。
【請求項１７】
前記複数の被誘導導電線は、夫々の前記被誘導電極を前記コントローラに夫々接続する、
請求項８に記載の電磁誘導タッチセンサー。
【請求項１８】
前記被誘導電極は、複数の第１の被誘導電極と、複数の第２の被誘導電極とを含む、
請求項８に記載の電磁誘導タッチセンサー。
【請求項１９】
前記被誘導導電線は、
第１の方向にて前記複数の第１の被誘導電極を前記コントローラに接続する複数の第１の被誘導導電線と、
前記第１の方向と異なる第２の方向にて前記複数の第２の被誘導電極を前記コントローラに接続する複数の第２の被誘導導電線を含む、
請求項１８に記載の電磁誘導タッチセンサー。
【請求項２０】
前記第１の被誘導電極は、前記被誘導基板の内表面上に設けられており、
前記第２の被誘導電極は、前記被誘導基板の外表面上に設けられている、
請求項１９に記載の電磁誘導タッチセンサー。
【請求項２１】
前記誘導層は、さらに、前記第１の被誘導導電線と前記第２の被誘導導電線の交点において、該第１の被誘導導電線と第２の被誘導導電線の間に設けられた複数の絶縁片を備える、
請求項１９に記載の電磁誘導タッチセンサー。
【請求項２２】
前記駆動層と前記誘導層は、絶縁物質により隔てられている、
請求項１に記載の電磁誘導タッチセンサー
【請求項２３】
電磁誘導タッチセンサー上の少なくとも１つのタッチ場所を検出する検出方法であって、
ａ）駆動層に駆動電流を与え、誘導層上にインダクタンスを誘発する磁場を生成するステップと、
ｂ）前記電磁誘導タッチセンサー上に少なくとも１つのタッチがあるときに、前記誘導層における前記インダクタンスの少なくとも１つの変化を表す少なくとも１つの誘発電気信号を生成するステップと、
ｃ）前記少なくとも１つの誘発電気信号をコントローラに伝送するステップと、
ｄ）前記少なくとも１つの誘発電気信号を処理することにより前記少なくとも１つのタッチ場所を特定するステップとを有する、
検出方法。
【請求項２４】
前記電磁誘導タッチセンサーは、さらに、
前記駆動層を前記コントローラに接続する少なくとも１つの駆動導電線と、
前記誘導層を前記コントローラに接続する複数の被誘導導電線とを備える、
請求項２３に記載の検出方法。
【請求項２５】
前記駆動電流は、前記コントローラにより、前記少なくとも１つの駆動導電線に順次与えられる、
請求項２４に記載の検出方法。
【請求項２６】
前記少なくとも１つのタッチ場所の特定は、前記少なくとも１つの駆動導電線と前記複数の被誘導導電線とに基づく、
請求項２５に記載の検出方法。
【請求項２７】
前記電磁誘導タッチセンサーは、さらに、
前記誘導層を前記コントローラに接続する複数の第１の被誘導導電線と複数の第２の被誘導導電線を有する、
請求項２３に記載の検出方法。
【請求項２８】
前記少なくとも１つのタッチ場所の特定は、前記第１の被誘導導電線と前記第２の被誘導導電線とに基づく、
請求項２７に記載の検出方法。
【請求項２９】
前記タッチ場所は、前記誘導層の外表面上にある、
請求項２３に記載の検出方法。
【発明の詳細な説明】
【技術分野】
【０００１】
本発明は、タッチセンサー、より具体的には、電磁誘導感知技術を用いるタッチセンサー及びその検出方法に関する。
【背景技術】
【０００２】
この二十年の間、ＡＴＭ（現金自動預け払い機）のタッチスクリーン、ラップトップコンピュータのモニター、メディアプレイヤーのスクロール・ホイールのような様々な民生用アプリケーションにおいてタッチ技術が使用されるようになってきた。タッチセンサーは、タッチセンサーの表面に沿った指やタッチペンなどの物体の動きを検出して、後続のプロセスのための電気信号を生成する。
【０００３】
抵抗型、容量型、音波型、光学型など、数多くのタッチ検出方法がこの技術分野で用いられている。抵抗型のタッチセンサーにおいて、２枚の連続抵抗膜は、スペーサを介して所定の間隔をおいてスタックされており、該スペーサは、上記２枚の連続抵抗膜に挟まれている。動作時に、物体がタッチしたタッチセンサーの外表面の位置に対応するタッチ場所において、上記２枚の膜が互いに接触する。タッチ場所における電流の変化を読み出すことによりタッチ場所の中心が検出される。しかし、該方式のタッチセンサーは、複数のタッチが生じた場合に、該複数のタッチの場所を別々に検出することができない。
【０００４】
容量型は、投影型と表面型の２つのサブタイプを有する。投影型の容量タッチセンサーは、格子状の電極パターンを有し、表面型の容量タッチセンサーは、連続導電膜の隅に電極が設けられている。容量側のタッチセンサーは、金属物体や指のような導電物体がタッチ場所となる位置に近付いてタッチした後に生じる容量の変化を検出することによりタッチ場所を特定する。しかし、容量型のタッチセンサーは、誘電性物質には、反応できない。
【０００５】
音波型のタッチセンサーは、音波を発生するためのエレメントと、音波を受信するためのエレメントを有し、音波を、タッチセンサーの表面を横切って伝送する。表面への物体のタッチは、音波のエネルギーの一部を吸収するため、タッチ場所が検出される。光学型のタッチセンサーは、音波の代わりに赤外線波などの光波が表面を伝送される点を除き、音波型のタッチセンサーと似た動作をする。しかし、この２種類のタッチセンサーは、発生エレメントと受信エレメントを設けるためのフレームが必要である。さらに、ホコリや油などの汚れは、スクリーンの誤活性化を引き起こし、タッチセンサーの感度を低下させる場合がある。
【発明の概要】
【発明が解決しようとする課題】
【０００６】
本発明の１つの目的は、導電体及び誘電体を検出可能な電磁誘導タッチセンサーを提供することにある。
【０００７】
該電磁誘導タッチセンサーは、磁場を生成するための駆動層と、該駆動層に面し、該電磁誘導タッチセンサー上の少なくとも１つのタッチ場所に対応するインダクタンスの変化を表す少なくとも１つの誘発電気信号を生成するための誘導層と、駆動層と誘導層に接続され、少なくとも１つの誘発電気信号を検出して該電磁誘導タッチセンサー上の少なくとも１つのタッチ場所を特定するための電磁誘導回路とを備える。
【０００８】
本発明の別の目的は、電磁誘導タッチセンサー上の少なくとも１つのタッチ場所の検出方法を提供することにある。
【０００９】
電磁誘導タッチセンサー上の少なくとも１つのタッチ場所の検出方法は、下記のステップを含む。
ａ）駆動層に駆動電流を与え、誘導層上にインダクタンスを誘発する磁場を生成し、
ｂ）電磁誘導タッチセンサー上に少なくとも１つのタッチが生じたときに、誘導層のインダクタンスの少なくとも１つの変化を表す少なくとも１つの誘発電気信号を生成し、
ｃ）少なくとも１つの誘発電気信号をコントローラに伝送し、
ｄ）少なくとも１つの誘発電気信号を処理することにより、少なくとも１つのタッチ場所を特定する。
【発明の効果】
【００１０】
本発明にかかる技術によれば、電磁誘導タッチセンサーは、導電体及び誘電体の存在を検出可能であり、上述した他のセンシング技術を用いたタッチセンサーの欠点を回避することができる。
【図面の簡単な説明】
【００１１】
【図１】２つのワイヤ間でインダクタンスを生成することを示す概略図である。
【００１２】
【図２ａ】本発明の第１の実施の形態にかかる電磁誘導タッチセンサーの一部を示す概略図である。
【００１３】
【図２ｂ】図２ａに示す電磁誘導タッチセンサーの分解平面図である。
【００１４】
【図３】図２ａと図２ｂに示す電磁誘導タッチセンサーの動作原理を説明するための図である。
【００１５】
【図４】第１の実施の形態とは別の実施の形態にかかる電磁誘導タッチセンサーの一部を示す図である。
【００１６】
【図５】本発明の第２の実施の形態にかかる電磁誘導タッチセンサーの分解平面図である。
【００１７】
【図６】本発明の第３の実施の形態にかかる電磁誘導タッチセンサーの分解平面図である。
【００１８】
【図７ａ】本発明の第４の実施の形態にかかる電磁誘導タッチセンサーの一部を示す概略図である。
【００１９】
【図７ｂ】図７ａの分解平面図である。
【００２０】
【図８】本発明の第５の実施の形態にかかる電磁誘導タッチセンサーの分解平面図である。
【００２１】
【図９ａ】本発明の第６の実施の形態にかかる電磁誘導タッチセンサーの一部を示す概略図である。
【００２２】
【図９ｂ】図９ａの分解平面図である。
【発明を実施するための形態】
【００２３】
導電線上を電流が流れるときに磁束線が生成されることは、知られている。導電線により生成された磁束線と磁場の強度は、該導電線の物理的形状と流れる電流の量によって決まる。第１の導電線の近傍に別の導電線がある場合に、第１の導電線により生成される磁束は、第２の導電線上のインダクタンスを誘発する。図１は、２つの電流運搬ワイヤの物理特性を説明するための図である。電流４は、ワイヤ２に与えられている。この電流４は、ワイヤ１を囲む磁場３をワイヤ２に生じさせる。磁場３は、ワイヤ１上のインダクタンスを誘発する。インダクタンスの量は、これらの２つの導電線間の距離と他のパラメータに依存する。該２つの導電線間の距離が変えられると、インダクタンスは変化する。インダクタンスの変化を示す電気信号５は、出力される。電気信号５は、電圧や電流などである。従って、インダクタンスの変化を検出することは、インダクタンスの変化を引き起こすタッチ場所の特定に用いることができる。本発明にかかる電磁誘導タッチセンサーは、上述した電磁誘導検出技術に基づく。
【００２４】
図２ａと図２ｂは、本発明の第１の実施の形態にかかる電磁誘導タッチセンサー１００を示す。電磁誘導タッチセンサー１００は、駆動層１１０、誘導層１２０、電磁誘導回路１３０を備える。駆動層１１０は複数の駆動電極１１１を有し、誘導層１２０は複数の被誘導電極１２１を有する。各駆動電極１１１は、相対応する被誘導電極１２１に面して設けられている。駆動電極１１１と被誘導電極１２１間に距離を置き、それらの互いの接触を防ぐために、駆動電極１１１と被誘導電極１２１は、絶縁媒体（図示せず）により隔てされている。該絶縁媒体は、連続絶縁層や、複数の隔離点などとすることができる。また、該絶縁媒体は、プラスチックや液体ジェルなどの変形可能な物質であってもよい。駆動基板１１２と被誘導基板１２２は、駆動電極１１１と被誘導電極１２１を夫々支持するために設けられている。電磁誘導回路１３０は、複数の駆動導電線１３１、複数の被誘導導電線１３２、コントローラ１３３を備える。駆動導電線１３１は、駆動基板１１２上に第１の方向に沿って駆動電極１１１をコントローラ１３３に接続し、被誘導導電線１３２は、被誘導基板１２２上に第２の方向に沿って被誘導電極１２１をコントローラ１３３に接続する。
【００２５】
動作時において、コントローラ１３３は、駆動導電線１３１を介して駆動電極１１１に駆動電流を与えることにより、駆動電極１１１の回りに磁場を生成させる。この磁場は、被誘導電極１２１に作用し、被誘導電極１２１のインダクタンスは、発生する。このインダクタンスは、被誘導電極１２１と駆動電極１１１間の距離の関数である。駆動電極１１１が設けられた駆動基板１１２の外表面にあるタッチ場所がタッチされたとき、駆動基板１２１は、押下され、被誘導電極１２１が設けられた被誘導基板１２２に近付く。タッチ場所における駆動電極１１１と被誘導電極１２１の距離が短くなる。この距離の変化は、被誘導電極１２１にて生じたインダクタンスの変化を引き起こし、被誘導導電線１３２を介してコントローラ１３３に出力される、タッチ場所の検出に供される電気信号として現れる。
【００２６】
図３を参照する。駆動電極１１１ａ、１１１ｂと１１１ｃは、駆動導電線１３１ａ上に位置し、駆動電極１１１ｄ、１１１ｅと１１１ｆは、駆動導電線１３１ｂ上に位置し、駆動電極１１１ｇ、１１１ｈと１１１ｉは、駆動導電線１３１ｃ上に位置する。また、被誘導電極１２１ａ、１２１ｄと１２１ｇは、被誘導導電線１３２ａ上に位置し、被誘導電極１２１ｂ、１２１ｅと１２１ｈは、被誘導導電線１３２ｂ上に位置し、被誘導電極１２１ｃ、１２１ｆと１２１ｉは、被誘導導電線１３２ｃ上に位置する。駆動導電線１３１ａ、１３１ｂと１３１ｃは、順次駆動される。駆動導電線１３１ａ、１３１ｂ、または１３１ｃの夫々が駆動された後に、被誘導導電線１３２ａ、１３２ｂと１３２ｃは、検査される。例えば、駆動電流が駆動導電線１３１ａを流れるときに、駆動電極１１１ａ、１１１ｂと１１１ｃは、被誘導電極１２１ａ、１２１ｂと１２１ｃにおけるインダクタンスを発生させる磁場を生成する。もし、外表面の、駆動電極１１１ａの真上の場所がタッチされると、駆動電極１１１ａは、被誘導電極１２１ａに近付く。該タッチ場所において、駆動電極１１１ａと被誘導電極１２１ａ間の距離が短くなるため、被誘導電極１２１ａにおけるインダクタンスが増大し、対応する電気信号が生成される。該誘発電気信号は、被誘導導電線１３２ａの検査時に検出される。そのため、タッチ場所は、コントローラ１３３により、被誘導導電線１３２ａと駆動導電線１３１ａに基づいて特定される。
【００２７】
図４ａ―４ｃに示すように、駆動電極１１１は、駆動基板１１２の外表面と内表面のいずれ一方に設ければよく、被誘導電極１２１も、被誘導基板１２２のの外表面と内表面のいずれ一方に設ければよい。駆動電極１１１を駆動基板１１２の外表面に設ける場合、または、被誘導電極１２１を被誘導基板１２２の外表面に設ける場合、駆動電極１１１または被誘導電極１２１が傷付くことを防ぐために、駆動電極１１１または被誘導電極１２１の上に、１つ以上のカバーシート（図示せず）を設けてもよい。
【００２８】
駆動導電線と被誘導導電線は、直線に限られることがない。図５は、本発明の第２の実施の形態にかかる電磁誘導タッチセンサー２００を示す。電磁誘導タッチセンサー２００は、駆動層２１０、誘導層２２０、電磁誘導回路２３０を備える。駆動層２１０は、複数の駆動電極２１１と、駆動電極２１１を支持する駆動基板２１２を有し、誘導層２２０は、複数の被誘導電極２２１と、被誘導電極２２１を支持する被誘導基板２２２を有する。電磁誘導回路２３０は、複数の駆動導電線２３１、複数の被誘導導電線２３２、コントローラ２３３を有する。駆動電極２１１とコントローラ２３３を接続する駆動導電線２３１は、駆動基板２１２の１つのコーナーから、駆動基板２１２の内表面を覆うように互いに異なる方向に沿って伸びるように配線されている。また、被誘導電極２２１とコントローラ２３３を接続する被誘導導電線２３２は、被誘導基板２２２の内表面上に分布する複数の同心円弧を成す。タッチ場所の検出手法は、第１の実施の形態における検出手法と同様である。タッチ場所は、駆動導電線２３１と被誘導導電線２３２の分布に従って、コントローラ２３３により、駆動導電線２３１の角度と被誘導導電線２３２の円弧半径により定義される極座標に基づいて特定される。
【００２９】
駆動導電線の交点は、第２の実施の形態のときのようなコーナーに限らず、駆動基板上の任意の点であってもよい。例えば、第２の実施の形態とほぼ同様の手法で極座標に基づいてタッチ場所を特定する本発明の第３の実施の形態によれば、駆動導電線３３１の交点が駆動基板３１２の内表面の中心である場合、図６に示すように、電磁誘導タッチセンサー３００は、他の態様で構成されることができる。該電磁誘導タッチセンサー３００は、駆動基板３１２と複数の駆動電極３１１を有する駆動層３１０、被誘導基板３２２と複数の被誘導電極３２１を有する誘導層３２０、電磁誘導回路３３０を備える。第２の実施の形態と異なるのは、電磁誘導回路３３０の駆動導電線３３１が、互いに異なる方向に沿って伸び、駆動基板３１２の中心で交差することである。駆動導電線３３１の交点において、駆動導電線３３１を互いに絶縁させるための複数の絶縁片３４０が設けられている。また、交点が中心にあるため、電磁誘導回路３３０の被誘導導電線３３２は、第２の実施の形態のときの同心円弧ではなく、中心が被誘導基板３２２の中心となる複数の同心円となっている。他の接続に関しては、第２の実施の形態のときと同様である。
【００３０】
なお、駆動導電線が同心円弧または同心円状に分布し、被誘導導電線が異なる方向に沿って伸び、被誘導基板の内表面上の任意の点で交差するようにしてもよい。
【００３１】
上述した第１の実施の形態において、第１の方向に接続された駆動電極と第２の方向に接続された被誘導電極は、共に、タッチ場所の特定に用いられている。本発明においては、別の駆動−検出原理を適用することもできる。例えば、磁場を生成する駆動電極として動作する平板電極を設け、被誘導電極を２つのグループに分けて、２つの方向においてタッチ場所を特定する。
【００３２】
図７ａと図７ｂは、上記別の駆動−検出原理を適用した本発明の第４の実施の形態にかかる電磁誘導タッチセンサー４００を示す。電磁誘導タッチセンサー４００は、１つの駆動電極４１１を有する駆動層４１０、複数の被誘導電極を有する誘導層４２０、電磁誘導回路４３０を備える。駆動電極４１１は、導電性平板であり、駆動基板４１２の内表面に設けられ、駆動基板４１２により支持される。被誘導電極は、被誘導基板４２２の内表面に設けられた複数の第１の被誘導電極４２１と、被誘導基板４２２の外表面に設けられた複数の第２の被誘導電極４２３に分けられている。電磁誘導回路４３０は、コントローラ４３３、１本の駆動導電線４３１、複数の第１の被誘導導電線４３２、複数の第２の被誘導導電線４３４を備える。駆動導電線４３１は、駆動電極４１１を、駆動電流を供給するためのコントローラ４３３に接続する。第１の被誘導導電線４３２は、被誘導基板４２２の内表面上の第１の方向において第１の被誘導電極４２１をコントローラ４３３に接続し、第２の被誘導導電線４３４は、被誘導基板４２２の外表面上の第２の方向において第２の被誘導電極４２３をコントローラ４３３に接続する。
【００３３】
駆動電流が駆動導電線４３１を介して駆動電極４１１に供給されると、第１の被誘導電極４２１と駆動電極４１１間の空間は、駆動電流により生成された磁場により満たされる。第１の被誘導電極４２１と第２の被誘導電極４２３では、インダクタンスが誘発される。もし、駆動基板４１２の外表面のある位置にタッチが生じると、該タッチ場所において、駆動電極４１１と第１の被誘導電極４２１間の距離が短くなる。これは、第１の被誘導電極４２１におけるインダクタンスの増加を引き起こし、インダクタンスの増加を示す電気信号が誘発され、第１の被誘導導電線４３１を介してコントローラ４３３に送信される。コントローラ４３３は、第１の被誘導電極４２１における該誘発電気信号に基づいて、第１の方向におけるタッチ場所を演算する。駆動電極４１１が第１の被誘導電極４２１に近付くように動くと同時に、駆動電極４１１と、被誘導基板４２２の外表面に設けられた第２の被誘導電極４２３間の距離も短くなる。そのため、同様に、第２の方向におけるタッチ場所が特定できる。第１の実施の形態と似た手法で、タッチ場所は、コントローラ４３３により、第１の方向における第１の被誘導導電線４３２と第２の方向における第２の被誘導導電線４３４に基づいて特定可能である。
【００３４】
第５の実施の形態にかかる電磁誘導タッチセンサー５００の提供は、さらなる別の目的を実現するためにある。図８に示すように、電磁誘導タッチセンサー５００において、複数の被誘導電極は、被誘導基板の同一の表面に設けられている。電磁誘導タッチセンサー５００は、第４の実施の形態に似ており、１つの駆動電極５１１を有する駆動層５１０、複数の第１の被誘導電極５２１と複数の第２の被誘導電極５２３を有する誘導層５２０、電磁誘導回路５３０を備える。駆動層５１０は、誘導層５２０に面するように設けられている。駆動電極５１１は、導電性平板であり、駆動基板５１２の内表面に設けられ、駆動基板５１２により支持される。第１の被誘導電極５２１と第２の被誘導電極５２３のいずれも、被誘導基板５２２の内表面に設けられている。電磁誘導回路５３０は、コントローラ５３３、１本の駆動導電線５３１、複数の第１の被誘導導電線５３２、複数の第２の被誘導導電線５３４を備える。第１の被誘導導電線５３２は、被誘導基板５２２上の第１の方向において第１の被誘導電極５２１をコントローラ５３３に接続し、第２の被誘導導電を線５３４は、被誘導基板５２２上の第２の方向において第２の被誘導電極５２３をコントローラ５３３を接続する。コントローラ５３３は、駆動電極５１１と接続され、駆動導電線５３１を介して駆動電流を供給する。
【００３５】
第１の被誘導導電線５３２と第２の被誘導導電線５３４は、互いに交差する。交点において、第１の被誘導導電線５３２と第２の被誘導導電線５３４を絶縁させるための複数の絶縁片５４０が、第１の被誘導導電線５３２と第２の被誘導導電線５３４の間に設けられている。該実施の形態におけるタッチ場所の検出方法は、第４の実施の形態のときと同様である。インダクタンスの変化を表す誘発電気信号が、第１の方向における第１の被誘導導電線５３２と第２の方向における第２の被誘導導電線５３４の両方を介して、コントローラ５３３に出力される。結果として、タッチ場所は、第１の方向と第２の方向の両方において、コントローラ５３３により特定される。また、タッチは、駆動基板５１２の外表面と被誘導基板５２２の外表面のいずれであってもよい。
【００３６】
上述した各実施の形態において、コントローラは、２つの異なる方向に沿って配置された電極でタッチ場所を特定する。もし、夫々の被誘導電極が、互いにユニークな場所を示すことができれば、夫々の被誘導電極でタッチ場所を特定するようにしてもよい。図９ａと図９ｂは、本発明の第６の実施の形態にかかる電磁誘導タッチセンサー６００を示す。電磁誘導タッチセンサー６００は、１つの駆動電極６１１を有する駆動層６１０、複数の被誘導電極６２１を有する誘導層６２０、電磁誘導回路６３０を備える。駆動層６１０は、誘導層６２０に面して設けられている。駆動電極６１１は、駆動基板６１２の内表面上に設けられており、被誘導電極６２１は、被誘導基板６２２の内表面上に設けられている。電磁誘導回路６３０は、コントローラ６３３、１本の駆動導電線６３１、複数の被誘導導電線６３２を有する。各被誘導電極６２１は、夫々の被誘導導電線６３２を介してコントローラ６３３と夫々接続され、駆動電極６１１は、駆動導電線６３１を介してコントローラ６３３と接続される。
【００３７】
上述した各実施の形態と同様に、駆動電極６１１で生じた磁場は、被誘導電極６２１においてインダクタンスを誘発する。駆動基板６１２の外表面に生じたタッチに対応する一部の被誘導電極６２１におけるインダクタンスの変化を表す誘発電気信号は、タッチ場所の特定のためにコントローラ６３３に出力される。各被誘導電極６２１が夫々コントローラ６３３に接続されているため、個々の被誘導電極６２１の位置は、タッチ場所を直接に示す。結果として、インダクタンスの変化が生じた個々の被誘導電極６２１に基づいてタッチ場所が特定される。使用時において、タッチは、駆動基板６１２の外表面と被誘導基板６２２の外表面のいずれであってもよい。
【００３８】
本発明において、駆動層と誘導層は、絶縁媒体（図示せず）により隔てられるようにすることが好ましい。さらに、駆動電極は、駆動基板の外表面と内表面のいずれか一方に設けるようにしてもよく、駆動基板の両方に設けるようにしてもよい。同様に、被誘導電極は、被誘導基板の外表面と内表面のいずれか一方に設けるようにしてもよく、被誘導基板の両方に設けるようにしてもよい。駆動基板の外表面に駆動電極を設ける場合、または、被誘導基板の外表面に被誘導電極を設ける場合に、駆動電極または被誘導電極が傷付かないように、駆動電極または被誘導電極を覆う１つ以上のカバーシート（図示せず）を設けることが好ましい。
【００３９】
様々な使用環境に応じて、上述した本発明の実施の形態における誘導層の外表面を、被誘導電極が駆動電極に近付くように移動させるタッチのために供するようにしてもよい。
【００４０】
本発明の電磁誘導タッチセンサーは、例えば、ラップトップコンピュータのタッチパッドや携帯電話のタッチスクリーンなど、不透明または透明な様々なタッチデバイスへ適用できる。本発明の電磁誘導方式のタッチ検出手法により、様々な環境において、導電性物体及び誘電性物体によるタッチを高感度に検出することができる。
【００４１】
本発明では、少なくとも１つの駆動電極と、少なくとも１つの被誘導電極が必要である。電磁誘導タッチセンサーの解像度とサイズは、電極の数を決定する主な要素である。通常、所望される解像度が高いほど、所望されるサイズが大きいほど、必要な電極の数が多くなる。駆動導電線と被誘導導電線の本数は、駆動電極と被誘導電極の数により決まる。なお、電磁誘導回路の数は、工業設計上のニーズにより影響される。
【００４２】
以上、実施の形態をもとに本発明を説明したが、実施の形態は例示であり、本発明の主旨から逸脱しない限り、上述実施の形態に対して、さまざまな変更、増減を加えてもよい。これらの変更、増減が加えられた変形例も、添付の請求項により規定される本発明の範囲にあることは当業者に理解されるところである。
【図１】
2013526740.tif 000003
【図２ａ】
2013526740.tif 000004
【図２ｂ】
2013526740.tif 000005
【図３】
2013526740.tif 000006
【図４】
2013526740.tif 000007
【図５】
2013526740.tif 000008
【図６】
2013526740.tif 000009
【図７ａ】
2013526740.tif 000010
【図７ｂ】
2013526740.tif 000011
【図８】
2013526740.tif 000012
【図９ａ】
2013526740.tif 000013
【図９ｂ】
2013526740.tif 000014
【国際調査報告】
2013526740.tif 000015
2013526740.tif 000016
2013526740.tif 000017